【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
ダウンリンク（ＤＬ：Ｄｏｗｎｌｉｎｋ）副フレーム内のアップリンク（ＵＬ：Ｕｐｌｉｎｋ）資源割当情報を受信する過程と、
前記資源割当情報に基づいて前記ＤＬ副フレームに対応する多数の連続的ＵＬ副フレーム中の少なくとも一つのＵＬ副フレームでＵＬデータを送信する過程と、
を含み、
前記資源割当情報は、前記ＵＬデータが前記多数の連続的ＵＬ副フレーム中の一つのＵＬ副フレームまたは全てのフレームで送信されることを示す伝送時間区間（ＴＴＩ：Ｔｒａｎｓｍｉｓｓｉｏｎ Ｔｉｍｅ Ｉｎｔｅｒｖａｌ）の種類を示す情報を含み、
前記ＴＴＩの種類が第1の種類を示す際、前記ＴＴＩの種類は、前記ＵＬデータが前記多数の連続的ＵＬ副フレーム中の一つのＵＬ副フレームで送信されることを示して、
前記ＴＴＩの種類が第2の種類を示す際、前記ＴＴＩの種類は、前記ＵＬデータが前記多数の連続的ＵＬ副フレーム中の全てのフレームで送信されることを示すことを特徴とする無線通信システムにおける端末の動作方法。
【請求項２】
ダウンリンク（ＤＬ：Ｄｏｗｎｌｉｎｋ）副フレーム内のアップリンク（ＵＬ：Ｕｐｌｉｎｋ）資源割当情報を受信する受信機と、
前記資源割当情報に基づいて前記ＤＬ副フレームに対応する多数の連続的ＵＬ副フレーム中の少なくとも一つのＵＬ副フレームでＵＬデータを送信する送信機と、
を含み、
前記資源割当情報は、前記ＵＬデータが前記多数の連続的ＵＬ副フレーム中の一つのＵＬ副フレームまたは全てのフレームで送信されることを示す伝送時間区間（ＴＴＩ：Ｔｒａｎｓｍｉｓｓｉｏｎ Ｔｉｍｅ Ｉｎｔｅｒｖａｌ）の種類を示す情報を含み、
前記ＴＴＩの種類が第1の種類を示す際、前記ＴＴＩの種類は、前記ＵＬデータが前記多数の連続的ＵＬ副フレーム中の一つのＵＬ副フレームで送信されることを示して、
前記ＴＴＩの種類が第2の種類を示す際、前記ＴＴＩの種類は、前記ＵＬデータが前記多数の連続的ＵＬ副フレーム中の全てのフレームで送信されることを示すことを特徴とする無線通信システムにおける端末装置。
【請求項３】
前記ＴＴＩの種類を示す前記情報が、前記ＵＬデータが前記多数の連続的ＵＬ副フレーム中の前記一つのＵＬ副フレームで送信されることを示す際、前記ＴＴＩの種類を示す前記情報は、前記多数の連続的ＵＬ副フレーム中の前記一つのＵＬ副フレームの位置を示す情報をさらに含むことを特徴とする請求項１に記載の無線通信システムにおける端末の動作方法。
【請求項４】
前記ＴＴＩの種類を示す前記情報は、２ビットのサイズを有することを特徴とする請求項１に記載の無線通信システムにおける端末の動作方法。
【請求項５】
前記ＵＬデータ送信過程は、
前記ＴＴＩの種類を示す前記情報が、前記ＵＬデータが前記多数の連続的ＵＬ副フレーム中の前記全てのＵＬ副フレームで送信されることを示す「ｌｏｎｇ ＴＴＩ」を示す際、前記多数の連続的ＵＬ副フレーム中の前記全てのＵＬ副フレームで前記ＵＬデータを送信する過程を含むことを特徴とする請求項３に記載の無線通信システムにおける端末の動作方法。
【請求項６】
前記ＵＬデータ送信過程は、
前記ＴＴＩの種類を示す前記情報が、前記ＵＬデータが前記多数の連続的ＵＬ副フレーム中の前記一つのＵＬ副フレームで送信されることを示す「ｄｅｆａｕｌｔ ＴＴＩ」を示す際、前記多数の連続的ＵＬ副フレーム中の前記ＴＴＩの種類を示す前記情報によって指示される位置を有する前記一つのＵＬ副フレームで前記ＵＬデータを送信する過程を含むことを特徴とする請求項３に記載の無線通信システムにおける端末の動作方法。
【請求項７】
前記ＴＴＩの種類を示す前記情報が、前記ＵＬデータが 前記多数の連続的ＵＬ副フレーム中の前記一つのＵＬ副フレームで送信されることを示す際、前記ＴＴＩの種類を示す前記情報は、前記多数の連続的ＵＬ副フレーム中の前記一つのＵＬ副フレームの位置を示す情報をさらに含むことを特徴とする請求項２に記載の無線通信システムにおける端末装置。
【請求項８】
前記ＴＴＩの種類を示す前記情報は、２ビットのサイズを有することを特徴とする請求項２に記載の無線通信システムにおける端末装置。
【請求項９】
前記送信機は、
前記ＴＴＩの種類を示す前記情報が、前記ＵＬデータが前記多数の連続的ＵＬ副フレーム中の前記全てのＵＬ副フレームで送信されることを示す「ｌｏｎｇ ＴＴＩ」を示す際、前記多数の連続的ＵＬ副フレーム中の前記全てのＵＬ副フレームで前記ＵＬデータを送信することを特徴とする請求項７に記載の無線通信システムにおける端末装置。
【請求項１０】
前記送信機は、
前記ＴＴＩの種類を示す前記情報が、前記ＵＬデータが前記多数の連続的ＵＬ副フレーム中の前記一つのＵＬ副フレームで送信されることを示す「ｄｅｆａｕｌｔ ＴＴＩ」を示す際、前記多数の連続的ＵＬ副フレーム中の前記ＴＴＩの種類を示す前記情報によって指示される位置を有する前記一つのＵＬ副フレームで前記ＵＬデータを送信することを特徴とする請求項７に記載の無線通信システムにおける端末装置。
【請求項１１】
アップリンク（ＵＬ：Ｕｐｌｉｎｋ）資源割当情報を生成する過程と、
ダウンリンク（ＤＬ：Ｄｏｗｎｌｉｎｋ）副フレームを介して端末に前記資源割当情報を送信する過程と、
を含み、
前記資源割当情報は、前記ＵＬデータが前記多数の連続的ＵＬ副フレーム中の一つのＵＬ副フレームまたは全てのフレームで前記端末によって送信されることを示す伝送時間区間（ＴＴＩ：Ｔｒａｎｓｍｉｓｓｉｏｎ Ｔｉｍｅ Ｉｎｔｅｒｖａｌ）の種類を示す情報を含み、
前記ＴＴＩの種類が第1の種類を示す際、 前記ＴＴＩの種類は、前記ＵＬデータが前記多数の連続的ＵＬ副フレーム中の一つのＵＬ副フレームで送信されることを示して、
前記ＴＴＩの種類が第2の種類を示す際、前記ＴＴＩの種類は、前記ＵＬデータが前記多数の連続的ＵＬ副フレーム中の全てのフレームで送信されることを示すことを特徴とする無線通信システムにおける基地局の動作方法。
【請求項１２】
アップリンク（ＵＬ：Ｕｐｌｉｎｋ）資源割当情報を生成するメッセージ生成機と、
ダウンリンク（ＤＬ：Ｄｏｗｎｌｉｎｋ）副フレームを介して端末に前記資源割当情報を送信する送信機と、
を含み、
前記資源割当情報は、前記ＵＬデータが前記多数の連続的ＵＬ副フレーム中の一つのＵＬ副フレームまたは全てのフレームで前記端末によって送信されることを示す伝送時間区間（ＴＴＩ：Ｔｒａｎｓｍｉｓｓｉｏｎ Ｔｉｍｅ Ｉｎｔｅｒｖａｌ）の種類を示す情報を含み、
前記ＴＴＩの種類が第1の種類を示す際、 前記ＴＴＩの種類は、前記ＵＬデータが前記多数の連続的ＵＬ副フレーム中の一つのＵＬ副フレームで送信されることを示して、
前記ＴＴＩの種類が第2の種類を示す際、前記ＴＴＩの種類は、前記ＵＬデータが前記多数の連続的ＵＬ副フレーム中の全てのフレームで送信されることを示すことを特徴とする無線通信システムにおける基地局装置。
【請求項１３】
前記ＴＴＩの種類を示す前記情報が、前記ＵＬデータが 前記多数の連続的ＵＬ副フレーム中の前記一つのＵＬ副フレームで送信されることを示す際、前記ＴＴＩの種類を示す前記情報は、前記多数の連続的ＵＬ副フレーム中の前記一つのＵＬ副フレームの位置を示す情報をさらに含むことを特徴とする請求項１１に記載の無線通信システムにおける基地局の動作方法。
【請求項１４】
前記端末から前記資源割当情報に基づいて前記多数の連続的ＵＬ副フレーム中の前記一つのＵＬ副フレームを介して前記ＵＬデータを受信する過程と、をさらに含むことを特徴とする請求項１３に記載の無線通信システムにおける基地局の動作方法。
【請求項１５】
前記ＴＴＩの種類を示す前記情報は２ビットのサイズを有することを特徴とする請求項１１に記載の無線通信システムにおける基地局の動作方法。
【請求項１６】
前記ＵＬデータ受信過程は、
前記ＴＴＩの種類を示す前記情報が、前記ＵＬデータが前記多数の連続的ＵＬ副フレーム中の前記全てのＵＬ副フレームで前記端末によって送信されることを示す「ｌｏｎｇ ＴＴＩ」を示す際、前記端末から前記多数の連続的ＵＬ副フレーム中の前記全てのＵＬ副フレームで前記ＵＬデータを受信する過程を含む
ことを特徴とする請求項１４に記載の無線通信システムにおける基地局の動作方法。
【請求項１７】
前記ＵＬデータ受信過程は、
前記ＴＴＩの種類を示す前記情報が、前記ＵＬデータが前記多数の連続的ＵＬ副フレーム中の前記一つのＵＬ副フレームで前記端末によって送信されることを示す「ｄｅｆａｕｌｔ ＴＴＩ」を示す際、前記多数の連続的ＵＬ副フレーム中の前記ＴＴＩの種類を示す前記情報によって指示される位置を有する前記一つのＵＬ副フレームで前記ＵＬデータを受信する過程を含む
ことを特徴とする請求項１４に記載の無線通信システムにおける基地局の動作方法。
【請求項１８】
前記ＴＴＩの種類を示す前記情報が、前記ＵＬデータが前記多数の連続的ＵＬ副フレーム中の前記一つのＵＬ副フレームで送信されることを示す際、前記ＴＴＩの種類を示す前記情報は、前記多数の連続的ＵＬ副フレーム中の前記一つのＵＬ副フレームの位置を示す情報をさらに含むことを特徴とする請求項１２に記載の無線通信システムにおける基地局装置。
【請求項１９】
前記端末から前記資源割当情報に基づいて前記多数の連続的ＵＬ副フレーム中の前記一つのＵＬ副フレームを介して前記ＵＬデータを受信する受信機をさらに含むことを特徴とする請求項１８に記載の無線通信システムにおける基地局装置。
【請求項２０】
前記ＴＴＩの種類を示す前記情報は２ビットのサイズを有することを特徴とする請求項１２に記載の無線通信システムにおける基地局装置。
【請求項２１】
前記受信機は、
前記ＴＴＩの種類を示す前記情報が、前記ＵＬデータが前記多数の連続的ＵＬ副フレーム中の前記全てのＵＬ副フレームで前記端末によって送信されることを示す「ｌｏｎｇ ＴＴＩ」を示す際、前記端末から前記多数の連続的ＵＬ副フレーム中の前記全てのＵＬ副フレームで前記ＵＬデータを受信することを特徴とする請求項１９に記載の無線通信システムにおける基地局装置。
【請求項２２】
前記受信機は、
前記ＴＴＩの種類を示す前記情報が、前記ＵＬデータが前記多数の連続的ＵＬ副フレーム中の前記一つのＵＬ副フレームで前記端末によって送信されることを示す「ｄｅｆａｕｌｔ ＴＴＩ」を示す際、前記多数の連続的ＵＬ副フレーム中の前記ＴＴＩの種類を示す前記情報によって指示される位置を有する前記一つのＵＬ副フレームで前記ＵＬデータを受信することを特徴とする請求項１９に記載の無線通信システムにおける基地局装置。